(57)【要約】【課題】蓋体側の係止突起と容器本体側の係止突起との係合をより確実で安定的に解除することができるコンパクト容器を提供すること。【解決手段】蓋体３側に設けられる係止片２０に形成された係止突起２２と、容器本体２側に形成された係止突起１６とを互いに係合させて蓋体３の全閉状態を保持するようにするとともに、蓋体３側の係止突起２２を容器本体２側の係止突起１６へと押し付ける方向に移動するに伴い上昇する押上片３５で係止片２０を押し上げることによって両係止突起１６，２２の係合を解除するようにしたコンパクト容器１において、係止片２０における係止突起２２が形成された係止片本体２１の外側方に、押上片３５からの押上力を受ける押上力受部２４を形成するものとする。【選択図】図４
2015119742.tif 000002
【特許請求の範囲】
【請求項１】
容器本体と蓋体の端部同士を枢着して蓋体を容器本体に対し上下方向に回動することによって開閉可能とし、蓋体側に設けられる係止片に形成された係止突起と、容器本体側に形成された係止突起とを互いに係合させて蓋体の全閉状態を保持するようにするとともに、蓋体側の係止突起を容器本体側の係止突起へと押し付ける方向に移動するに伴い上昇する押上片で係止片を押し上げることによって両係止突起の係合を解除するようにしたコンパクト容器において、係止片における係止突起が形成された本体部分の外側方に、押上片からの押上力を受ける押上力受部を形成したことを特徴とするコンパクト容器。
【請求項２】
係止片における本体部分と押上力受部との間に、スリットを形成したことを特徴とする請求項１記載のコンパクト容器。
【発明の詳細な説明】
【技術分野】
【０００１】
本発明は、例えば、化粧用として用いられて好適なコンパクト容器に関し、特に、係止片を押上片で押し上げることにより容器本体及び蓋体のそれぞれに設けられた係止突起同士の係合を解除するようにしたコンパクト容器に関するものである。
【背景技術】
【０００２】
この種の従来のコンパクト容器として、例えば、特許文献１にて提案されているものがある。
【先行技術文献】
【特許文献】
【０００３】
【特許文献１】実用新案登録第２５８３１８１号公報
【０００４】
特許文献１に係るコンパクト容器は、互いの端部同士が枢着される容器本体と蓋体とを備え、蓋体を容器本体に対し上下方向に回動することによって開閉可能とされている。
このコンパクト容器においては、蓋体側に設けられる係止片（フック）に形成された係止突起と、容器本体側に形成された係止突起とを互いに係合させることにより、蓋体の全閉状態を保持するようにしている。
【０００５】
ところで、上記のコンパクト容器では、全閉状態の蓋体を開く際に、蓋体側の係止突起を容器本体側の係止突起へと押し付ける方向に移動するに伴い上昇する押上片で係止片を押し上げることにより、両係止突起の係合を解除するようにしている。
【０００６】
このため、従来のコンパクト容器では、押上片との摩擦によって蓋体側の係止突起を容器本体側の係止突起に押し付けるような力が係止片に作用して、両係止突起の係合を安定的に解除することができないという問題があった。
【発明の概要】
【発明が解決しようとする課題】
【０００７】
本発明は、上記従来のコンパクト容器の有する問題点に鑑み、蓋体側の係止突起と容器本体側の係止突起との係合をより確実で安定的に解除することができるコンパクト容器を提供することを目的とする。
【課題を解決するための手段】
【０００８】
上記目的を達成するため、本発明のコンパクト容器は、容器本体と蓋体の端部同士を枢着して蓋体を容器本体に対し上下方向に回動することによって開閉可能とし、蓋体側に設けられる係止片に形成された係止突起と、容器本体側に形成された係止突起とを互いに係合させて蓋体の全閉状態を保持するようにするとともに、蓋体側の係止突起を容器本体側の係止突起へと押し付ける方向に移動するに伴い上昇する押上片で係止片を押し上げることによって両係止突起の係合を解除するようにしたコンパクト容器において、係止片における係止突起が形成された本体部分の外側方に、押上片からの押上力を受ける押上力受部を形成したことを特徴とする。
【０００９】
この場合において、係止片における本体部分と押上力受部との間に、スリットを形成することができる。
【発明の効果】
【００１０】
本発明のコンパクト容器によれば、係止片における係止突起が形成された係止片の本体部分の外側方に、押上片からの押上力を受ける押上力受部が形成されるので、押上片からの押上力を押上力受部でより効果的に受け止めてより強力に係止片を押し上げることができ、蓋体側の係止突起と容器本体側の係止突起との係合をより確実で安定的に解除することができる。
【００１１】
また、係止片における本体部分と押上力受部との間に、スリットを形成することにより、本体部分の押上力受部に対する自由度が大きくなり、係合解除をスムーズに行うことができる。
【図面の簡単な説明】
【００１２】
【図１】本発明の一実施形態に係るコンパクト容器の開状態の全体斜視図である。
【図２】同コンパクト容器の容器本体前部における要部分解斜視図である。
【図３】同コンパクト容器における蓋体と容器本体の係止突起同士が係合している状態を示す要部縦断面図である。
【図４】同コンパクト容器のおける蓋体と容器本体の係止突起同士が係合解除される直前の状態を示す要部縦断面図である。
【図５】同コンパクト容器の係止片の拡大斜視図で、（ａ）はスリット無しのものを示す図、（ｂ）はスリット有りのものを示す図である。
【発明を実施するための形態】
【００１３】
次に、本発明のコンパクト容器の実施の形態を、図面に基づいて説明する。
【００１４】
＜コンパクト容器の概略構成説明＞
図１に示されるように、本実施形態のコンパクト容器１は、化粧用として用いられて好適なものであって、四角形状の底板部の周縁部全周に亘って周壁が立設されて形成される収容部を有する容器本体２と、この容器本体２の上面側全体を覆うことができる形状寸法の蓋体３とを備え、容器本体２の後端部と蓋体３の後端部とをヒンジ４で接合して、このヒンジ４を中心に蓋体３を容器本体２に対して上下方向に回動することにより開閉することができるようになっている。
ここで、容器本体２の収容部内には、中枠５を介して中皿６が嵌め込まれ、中皿６の内部には図示されない化粧料等が収納されている。
また、蓋体３の裏面には、鏡７が貼り付けられている。
なお、以下の説明において、蓋体３についての前後左右方向は、特に断りのない限り、容器本体２に対し蓋体３が完全に閉じた全閉状態における前後左右方向であると定めるものとする。
【００１５】
＜容器本体凹部の説明＞
図２に示されるように、容器本体２の前部における左右方向中間位置には、周壁前面を後方へ凹ませるようにして容器本体凹部１０が形成されている。
容器本体凹部１０は、底板部１１と、底板部１１の後縁部に立設される奥板部１２と、底板部１１の左右両側縁部にそれぞれ立設されて奥板部１２に一体的に繋がる左右の側板部１３とにより構成されている。
底板部１１の上面の左右両側部には、それぞれ窪み部１４が設けられている。
奥板部１２の下部には、挿通孔１５が穿設されている。
奥板部１２の前面において、上部位置には、係止突起１６が突設され、上下方向中間位置には、舌状突起１７が突設されている。
ここで、舌状突起１７は、後方に向かって上向きに傾斜する傾斜面１８を有している。
【００１６】
＜係止片の説明＞
図３に示されるように、蓋体３の前部には、蓋体３の全閉状態において、その裏面から下方に向けて真っ直ぐに延びるように係止片２０が垂設されている。
係止片２０は、蓋体３の全閉時にその先端（下端）部分が容器本体凹部１０の内部に入り込んで奥板部１２の前方に位置するように配置されている。
係止片２０は、その本体部分を構成する平板状の係止片本体２１を備え、この係止片本体２１には、係止突起１６と係合可能な係止突起２２が突設されている。
図５（ａ）に示されるように、係止片２０においては、係止片本体２１の左右それぞれの外側方に、側方張出部２３を介して後方に突出するようにリブ状の押上力受部２４が一体的に形成されている。
【００１７】
＜押釦の説明＞
図１に示されるように、容器本体凹部１０には、押釦２５が前後方向にスライド可能に装着されている。
図２に示されるように、押釦２５は、上下に配される天板部２６及び底板部２７と、底板部２７の前縁部に立設されて人の指を押し付け可能な前側板部２８と、底板部２７の左右両側縁部にそれぞれ立設されて前側板部２８及び天板部２６の両方の板部に一体的に繋がる左右の側板部２９とにより構成されている。
【００１８】
天板部２６には、係止片２０が通過可能な切欠き３０が形成されている。
底板部２７の下面の左右両側部には、容器本体凹部１０における底板部１１の上面の左右両側部に設けられた窪み部１４に対応して、突起３１が設けられ、該突起３１が窪み部１４に引っ掛かることで容器本体凹部１０から押釦２５が抜け出さないようにされている。
【００１９】
＜押上片の説明＞
図３に示されるように、押釦２５の前側板部２８の後面には、押上片３５が突設されている。
押上片３５は、係止片本体２１及びその左右両外側方の側方張出部２３（図５（ａ）参照）並びに押上力受部２４の下面に接触可能な全体として板状形状を呈するものとされている。
押上片３５の基端部は、薄肉ヒンジ３６とされて、該薄肉ヒンジ３６を中心にして押上片３５が上下方向に弾性揺動可能とされている。
押上片３５は、係止片２０の下面に摺動可能に当接するとともに、舌状突起１７の傾斜面１８に摺動可能に当接して、押釦２５の後方への押し込み操作により、傾斜面１８に沿って上昇することで係止片２０を押し上げることができるようになっている。
【００２０】
＜コンパクト容器の開閉動作の説明＞
次に、図１に示されるように開いた状態にある蓋体３を閉じる動作について説明する。
【００２１】
まず、ヒンジ４を中心にして蓋体３を容器本体２に向けて下方に回動する。
容器本体２に対し蓋体３が全閉状態に近づき、係止片２０の先端部分が押釦２５の切欠き３０を通過して容器本体凹部１０の内部に入り込むと程なく係止突起２２が係止突起１６に当接し、更に蓋体３を下方に押し込むと、係止突起２２が係止突起１６を蓋体３の閉じ側に乗り越えて、図３に示されるように、両係止突起１６，２２が係合する。
これにより、容器本体２に対する蓋体３の全閉状態が保持される。
【００２２】
次に、両係止突起１６，２２の係合によって全閉状態が保持された状態にある蓋体３を開ける動作について主に図４を用いて説明する。
【００２３】
図４に示されるように、蓋体３の開動作は、押釦２５の後方への押し込み操作によってなされる。
押釦２５の後方への押し込み操作により、押上片３５は、舌状突起１７の傾斜面１８に沿って上昇するとともに、傾斜面１８からの反作用を受けて薄肉ヒンジ３６を中心に上向きに回動する。
このとき、係止片２０は、係止片本体２１のみならず側方張出部２３（図５（ａ）参照）及び押上力受部２４が押上片３５からの押上力を受けて押し上げられるとともに、押上力受部２４の先端角部が押上片３５からの上向き回動力を受けて前方に押し曲げられることになる。
こうして、係止片２０が押上片３５によって押し上げられることにより、係止突起２２が係止突起１６を蓋体３の開き側に乗り越えることで両係止突起１６，２２の係合が解除されることになるが、係止片２０が押上片３５からの上向き回動力を受けて前方に押し曲げられるので、係止突起２２が係止突起１６から離れる方向に動かされ、係止突起２２が係止突起１６を乗り越える動作が無理なくスムーズに行われ、両係止突起１６，２２の係合解除がより容易に行われることになる。
【００２４】
このようにして、両係止突起１６，２２の係合を解除したら、ヒンジ４を中心に蓋体３を容器本体２から引き離すように上方に回動すれば、図１に示されるように容器本体２に対し蓋体３を開いた状態にすることができる。
【００２５】
＜作用効果の説明＞
上記の実施形態によれば、係止突起２２を係止突起１６へと押し付ける方向に移動するに伴い上昇し、かつ上向きに回動する押上片３５で係止片２０を押し上げることによって係止突起１６と係止突起２２との係合を解除するようにしたコンパクト容器１において、係止片本体２１の外側方に、押上片３５からの押上力を受ける押上力受部２４を該押上片３５の移動方向側、つまり後方に突出するように形成して、係止片２０が、押上片３５からの押上力を係止片本体２１のみならず側方張出部２３及び押上力受部２４で受けて押し上げられるとともに、押上片３５からの上向き回動力を押上力受部２４の先端角部で受けて前方に押し曲げられるように構成したので、以下の（１）〜（３）に記載のような作用効果を得ることができる。
【００２６】
（１）たとえ係止片２０が押上片３５との摩擦によって係止突起２２を係止突起１６に押し付けるような力が係止片２０に作用したとしても、押上片３５からの押上力をより効果的に受け止めてより強力に係止片２０を押し上げることができ、蓋体３側の係止突起２２と容器本体２側の係止突起１６との係合をより確実で安定的に解除することができる。
（２）係止片２０が押上力受部２４を介して押上片３５からの上向き回動力を受けて前方に押し曲げられることにより、係止突起２２が係止突起１６から離れる方向に動かされて、係止突起２２が係止突起１６を乗り越える動作が無理なくスムーズに行われることになり、両係止突起１６，２２の係合解除をより容易に行うことができる。
（３）押上力受部２４が、蓋体３を開閉する際に蓋体３側の係止突起２２が通過する経路から外れて形成されているため、容器本体２側の係止突起１６を蓋体３側の係止突起２２と対応する位置に形成することによって、押上力受部２４と容器本体２側の係止突起１６とが干渉しないようにして、２段嵌合（蓋体３を閉じる動作を行った際に、容器本体２側の係止突起１６に、まず、押上力受部２４が当たり、その後、蓋体３側の係止突起２２が当たること）を防止し、蓋体３を閉じる動作を円滑に行うことができる。
【００２７】
以上、本発明のコンパクト容器について、一実施形態に基づいて説明したが、本発明は上記実施形態に記載した構成に限定されるものではなく、その趣旨を逸脱しない範囲において適宜その構成を変更することができるものである。
【００２８】
例えば、上記実施形態における係止片２０に代えて、図５（ｂ）に示されるような係止片２０Ａを採用してもよい。
この係止片２０Ａにおいては、係止突起２２が形成された本体部分である係止片本体２１と、押上力受部２４との間に、つまり側方張出部２３に、上部の繋ぎ部４０を残して、下端まで完全に切り込まれて下方に開口したスリット４１が形成されている。
こうすることにより、係止片本体２１の押上力受部２４に対する自由度が大きくなり、係合解除をスムーズに行うことができる。
なお、係止片本体２１と押上片３５との間に隙間を設けて、押上片３５に対し係止片本体２１を非接触状態とすることにより、押釦２５の後方への押し込み操作の際に、係止突起２２を係止突起１６に押し付けるような力が係止片２０に作用することがなくなり、これによって係止突起２２が係止突起１６に押し付けられることがなくなるので、よりスムーズに係合解除を行うことができる。
【産業上の利用可能性】
【００２９】
本発明のコンパクト容器は、押釦の押し込み操作によるスライド上昇式の押上片で係止片を押し上げて係合解除する形式のものに広く適用することができる。
【符号の説明】
【００３０】
１    コンパクト容器
２    容器本体
３    蓋体
１６  係止突起（容器本体側）
２０  係止片
２１  係止片本体
２２  係止突起（蓋体側）
２４  押上力受部
３５  押上片
４１  スリット
【図１】
2015119742.tif 000003
【図２】
2015119742.tif 000004
【図３】
2015119742.tif 000005
【図４】
2015119742.tif 000006
【図５】
2015119742.tif 000007